【手続補正書】
【提出日】平成31年3月14日(2019.3.14)
【手続補正１】
【補正対象書類名】明細書
【補正対象項目名】０１３３
【補正方法】変更
【補正の内容】
【０１３３】
さらに、「または（ｏｒ）」という語が、２つ以上の項目のリストに関する言及において、他の項目を排除して単一の項目のみを意味するように明確に限定されていない限り、かかるリストにおける「または（ｏｒ）」の使用は、（ａ）リスト内の任意の単一の項目、（ｂ）リスト内の全ての項目、または（ｃ）リスト内の項目の任意の組み合わせを含むものとして解釈されるべきである。それに加えて、「含む（ｃｏｍｐｒｉｓｉｎｇ）」という用語は、全体を通して、少なくとも挙げられた特徴（複数可）を含むことを意味するように使用され、その結果、いずれのより大きい数の同一の特徴及び／または追加的な種類の他の特徴も除外されない。また、特定の実施形態が例証の目的のために本明細書に説明されているが、種々の修正が、本技術から逸脱することなく行われてもよいことも理解されるであろう。さらに、本技術の特定の実施形態に関連付けられる利点が、それらの実施形態の文脈において説明されているが、他の実施形態もまた、かかる利点を示してもよく、必ずしも全ての実施形態が、かかる利点を本技術の範囲に入るように示す必要はない。したがって、本開示及び関連する技術は、本明細書に明確に示されていないまたは説明されていない他の実施形態を包含し得る。
本件出願は、以下の構成の発明を提供する。
（構成１）
生体材料を１つ以上の基材上に堆積させるための標本堆積システムであって、
１つ以上の基材を受容及び保持するための基材処理領域と、
生体試料の噴霧を標本コンテナから基材の表面に向かって配向する及び方向付けるように構成された噴霧カートリッジと、
前記噴霧カートリッジを前記基材の前記表面に対して整列させるように構成された１つ以上の整列アセンブリを含む位置付けアセンブリと、を備える、標本堆積システム。
（構成２）
前記位置付けアセンブリが、標本コンテナを操作し、前記基材処理領域へ送達し、前記標本コンテナを噴霧カートリッジ内に位置付け、ならびに／または前記標本コンテナを前記噴霧カートリッジ内に位置付ける前に前記標本コンテナを撹拌するようにさらに構成される、構成１に記載の標本堆積システム。
（構成３）
前記噴霧カートリッジは、生体材料を輸送溶液中に含有する前記標本コンテナを受容及び保持するように構成された装着機構をさらに含む、構成１または２のいずれかに記載の標本堆積システム。
（構成４）
前記標本コンテナが、輸送溶液中に保管された生体材料を含む、構成１〜３のいずれかに記載の標本堆積システム。
（構成５）
前記輸送溶液が、約１０％〜約９５％のエタノールを含む、構成３に記載の標本堆積システム。
（構成６）
前記基材処理領域が、基材を前記基材処理領域内に移動させるための移動プラットフォームを備える、構成１〜５のいずれかに記載の標本堆積システム。
（構成７）
前記基材処理領域が、前記プラットフォームによって保持され、かつ前記１つ以上の基材を運搬するように構成された基材装填ステーションを備える、構成１〜６のいずれかに記載の標本堆積システム。
（構成８）
個別の基材が、基材カートリッジ内に収容され、前記基材カートリッジが、噴霧堆積プロセス中に生体材料の前記噴霧を含有するための噴霧保定具を含む、構成１〜７のいずれかに記載の標本堆積システム。
（構成９）
前記噴霧保定具が、前記噴霧カートリッジの噴霧ノズルを受容するための上部開口を含む、構成８に記載の標本堆積システム。
（構成１０）
前記噴霧保定具が、直方体、円筒、または円錐台形状を有する、構成８に記載の標本堆積システム。
（構成１１）
前記位置付けアセンブリが、前記標本コンテナを前記基材処理領域に対して移動させて、生体材料を含有する前記標本コンテナのうちの１つを、空の噴霧カートリッジへの送達のために連続してステージングするように構成される、構成１〜１０のいずれかに記載の標本堆積システム。
（構成１２）
前記噴霧カートリッジが、
前記標本コンテナを付着するための取付具と、
前記標本コンテナからの前記生体材料の噴霧を方向付けるための噴霧ノズルと、
前記噴霧カートリッジのヘッド内の流体ポートであって、前記噴霧ノズルを前記標本コンテナ中の液体と連結するように構成された、前記流体ポートと、を含む、構成１〜１１のいずれかに記載の標本堆積システム。
（構成１３）
前記噴霧カートリッジの前記ヘッドが、空気ポートを備え、前記空気ポートが、圧縮空気を前記噴霧ノズルに送達するように構成される、構成１２に記載の標本堆積システム。
（構成１４）
前記位置付けアセンブリに通信可能に連結された制御装置であって、前記１つ以上の整列アセンブリに、前記基材処理領域の外側に位置付けられた第１の標本コンテナを前記基材処理領域へ移動させる、前記第１の標本コンテナを第１の噴霧カートリッジに挿入する、及び前記第１の噴霧カートリッジを前記基材の前記表面に整列させるように命令するようにプログラムされた、前記制御装置をさらに備える、構成１〜１３のいずれかに記載の標本処理システム。
（構成１５）
生体標本を基材上に堆積させる方法であって、
生体標本を保持する複数のコンテナを、自動化標本堆積システム内のキャリアアセンブリに送達することと、
前記キャリアアセンブリを前記堆積システムの位置付けアセンブリに向かって移動させることと、
前記複数のコンテナの個別のコンテナを、前記キャリアアセンブリから前記位置付けアセンブリへ連続して移動させることと、
前記位置付けアセンブリをコンテナ受容構成からコンテナ整列構成へ移動させて、前記位置付けアセンブリにある前記個別のコンテナを基材処理領域の上側の整列された位置に移動させることと、
個別の基材を前記基材処理領域へ輸送することと、
前記生体標本を個別の基材の上部表面上に噴霧して、標本支持基材を生成することと、を含む、方法。
（構成１６）
前記個別のコンテナを、噴霧ノズルを有する個別の噴霧カートリッジ内に位置付けることをさらに含み、前記生体標本を前記個別の基材の前記上部表面上に噴霧することが、前記生体標本を前記噴霧カートリッジの前記噴霧ノズルから噴霧することを含む、構成１５に記載の方法。
（構成１７）
前記キャリアを移動させることが、前記キャリアアセンブリを回転させて、前記コンテナを前記位置付けアセンブリへ連続して移動させることを含む、構成１５または１６のいずれか一項に記載の方法。
（構成１８）
個別の基材を前記基材処理領域へ輸送することが、前記基材スライドを、前記基材処理領域内の基材装填区画に沿って、その上へと押すこと、または前記基材を基材ステージングデバイスから前記基材処理領域へ運搬することを含む、構成１５〜１７のいずれか一項に記載の方法。
（構成１９）
前記位置付けアセンブリをコンテナ受容構成からコンテナ整列構成へ移動させることが、コンテナを噴霧カートリッジ内に置くことを含む、構成１５〜１８のいずれか一項に記載の方法。
（構成２０）
前記基材が、顕微鏡スライドであり、前記標本支持基材が、部分波分光分析に好適である、構成１５〜１９のいずれか一項に記載の方法。
（構成２１）
前記生体標本が、前記複数の個別のコンテナのうちの少なくとも１つの中の輸送溶液中に懸濁される、構成１５〜２０のいずれか一項に記載の方法。
（構成２２）
生体標本を１つ以上の基材上に堆積させるための自動化標本堆積システムであって、
標本を含有する噴霧カートリッジを基材の表面に対して整列させるように構成された位置付けアセンブリと、
基材を連続して受容及び運搬するための基材装填ステーションと、
前記位置付けアセンブリに通信可能に連結された制御装置であって、
（ａ）前記位置付けアセンブリに、前記噴霧カートリッジを前記基材装填ステーションの上側に位置付け、整列させるように命令する、及び
（ｂ）圧縮空気供給源に、圧縮空気を、前記標本を前記噴霧カートリッジ上のノズルから前記基材装填ステーションによって運搬される基材に向かって噴霧する様式で前記噴霧カートリッジ内に方向付けるように命令するようにプログラムされた、制御装置と、
前記制御装置に通信可能に連結されたデータベースであって、前記データベースが、標本の取り込み、噴霧堆積、標本の切り替え、基材のインデックス化、及び標本支持基材処理のうちの１つ以上に関して前記制御装置に対する実行可能な指示を記憶する、データベースと、を備える、自動化標本堆積システム。
（構成２３）
前記基材が、顕微鏡スライドであり、前記基材が、前記システムの内部環境内への前記標本の過噴霧を阻止するように構成された噴霧保定具を有する基材カートリッジ内に保持される、構成２２に記載の自動化標本堆積システム。
（構成２４）
前記制御装置が、１つ以上の噴霧堆積プログラムを実行するためのプログラム可能プロセッサを備え、前記１つ以上の噴霧堆積プログラムが、細胞型、細胞濃度、及び輸送溶液特性のうちの１つ以上に少なくとも部分的に基づいて選択される、構成２１または２２に記載の自動化標本堆積システム。